(57)【要約】【課題】開閉式屋根の漏水を防止する。【解決手段】展開した開閉幕２４で開口部１４が閉鎖された閉鎖状態（第一先頭トロリー５０の第一結合部１００と第二先頭トロリー５２の第二結合部２００とが結合した結合状態）では、左側の第二先頭トロリー５２における第二結合部２００の第二樋部２２０は、右側の第一先頭トロリー５０における第一結合部１００の第一樋部１２０の上側樋部１２４の下側に位置する。また、第二結合部２００の第二庇部２１０は、右側の第一結合部１００の第一庇部１１０と第一樋部１２０の上側樋部１２４との間に位置し、第二樋部２２０と第一樋部１２０の上側樋部１２４とを覆うように構成されている。【選択図】図４
2016084649.tif 000002
【特許請求の範囲】
【請求項１】
開閉式屋根に設けられた開口部の対向する一方側と他方側からそれぞれ中央側に移動して展開し前記開口部を閉鎖する対を成す屋根材と、
前記屋根材の展開方向先端部にそれぞれ設けられ、前記開口部が前記屋根材で閉鎖された状態で、前記屋根材に溜まった水を前記屋根材の展開方向と交差する方向に流す樋部が一つ又は複数形成される結合部と、
を備える開閉式屋根の屋根構造。
【請求項２】
前記樋部は複数形成され、複数の前記樋部の少なくとも一つは、前記開口部が前記屋根材で閉鎖された状態で、他の前記樋部の上側に位置するように配置されている、
請求項１に記載の開閉式屋根の屋根構造。
【請求項３】
一方の前記結合部は、下側樋部と、前記下側樋部の他方側に一体的に形成され、底部が前記下側樋部の底部より高い上側樋部と、を有する第一樋部と、他方側に延出し前記第一樋部の前記下側樋部を覆う第一庇部と、を備え、
他方の前記結合部は、前記開口部が前記屋根材で閉鎖された状態おいて、前記第一樋部の前記上側樋部の下側に位置する第二樋部と、一方側に延出し前記第一庇部の下側に位置すると共に前記第一樋部の前記上側樋部及び前記第二樋部を覆う第二庇部と、を備える、
請求項２に記載の開閉式屋根の屋根構造。
【発明の詳細な説明】
【技術分野】
【０００１】
本発明は、開閉式屋根の屋根構造に関する。
【背景技術】
【０００２】
特許文献１には、二枚の移動屋根において、一方の移動屋根の可撓性のチューブと他方の移動屋根のチューブとを当接して止水すると共に、可撓性のチューブの当接位置（シール部位）よりも下方に樋を設けた開閉式屋根の閉合構造が開示されている。この先行技術では、チューブの当接部位（シール部位）から万一水滴が落ちた場合に、水滴を樋が捕捉し、屋根の端部まで案内して、排水パイプに導いている。
【０００３】
しかし、開閉式屋根の排水性能を超える大雨が降った場合、屋根に水が溜まり続け、その結果、漏水する虞がある。
【先行技術文献】
【特許文献】
【０００４】
【特許文献１】特開平１０−２６６４５０号公報
【発明の概要】
【発明が解決しようとする課題】
【０００５】
本発明は、上記事実を鑑み、開閉式屋根の漏水を防止することが目的である。
【課題を解決するための手段】
【０００６】
請求項１の発明は、開閉式屋根に設けられた開口部の対向する一方側と他方側からそれぞれ中央側に移動して展開し前記開口部を閉鎖する対を成す屋根材と、前記屋根材の展開方向先端部にそれぞれ設けられ、前記開口部が前記屋根材で閉鎖された状態で、前記屋根材に溜まった水を前記屋根材の展開方向と交差する方向に流す樋部が一つ又は複数形成される結合部と、を備えている。
【０００７】
請求項１の発明では、開閉式屋根の開口部が屋根材で閉鎖された状態で、屋根材に溜まった水を樋部が屋根材の展開方向と交差する方向に流し排水する。よって、大雨が降ったとしても、開閉式屋根の屋根材の結合部位からの漏水が防止される。
【０００８】
請求項２の発明は、前記樋部は複数形成され、複数の前記樋部の少なくとも一つは、前記開口部が前記屋根材で閉鎖された状態で、他の前記樋部の上側に位置するように配置されている。
【０００９】
請求項２の発明では、複数の樋部の少なくとも一つは、他の樋部の上側に位置するように配置されているので、上側にある樋部から水が溢れたとしても、下側の他の樋部が展開方向と交差する方向に流し排水する。よって、結合部の排水性能が向上するので、より確実に屋根材の結合部位からの漏水が防止される。
【００１０】
請求項３の発明は、一方の前記結合部は、下側樋部と、前記下側樋部の他方側に一体的に形成され、底部が前記下側樋部の底部より高い上側樋部と、を有する第一樋部と、他方側に延出し前記第一樋部の前記下側樋部を覆う第一庇部と、を備え、他方の前記結合部は、前記開口部が前記屋根材で閉鎖された状態おいて、前記第一樋部の前記上側樋部の下側に位置する第二樋部と、一方側に延出し前記第一庇部の下側に位置すると共に前記第一樋部の前記上側樋部及び前記第二樋部を覆う第二庇部と、を備えている。
【００１１】
請求項３の発明では、屋根材に溜まった水は、一方の結合部の第一庇部と他方の結合部の第二庇部との間から流入し、一方の結合部の第一樋部の下側樋部に流れこみ、下側樋部が展開方向と交差する方向に流し排水する。第一樋部の下側樋部から水が溢れた場合は、第一樋部の上側樋部に流れこみ、上側樋部が展開方向と交差する方向に流し排水する。更に、第一樋部の上側樋部から水が溢れた場合は、他方の結合部の第二樋部に流れこみ、第二樋部が展開方向と交差する方向に流し排水する。
【００１２】
このように、屋根材に溜まった水は、一方の結合部の第一樋部の下側樋部、第一樋部の上側樋部、他方の結合部の第二樋部へと順番に移動して流れるので、水の流れの勢いが弱くなり、より確実に屋根材の結合部位からの漏水が防止される。
【発明の効果】
【００１３】
本発明によれば、開閉式屋根の漏水を防止することができる。
【図面の簡単な説明】
【００１４】
【図１】本発明の一実施形態に係る開閉式屋根が閉鎖されていない状態をＹ方向から見た側面図である。
【図２】本発明の一実施形態に係る開閉式屋根が閉鎖された状態をＹ方向から見た側面図である。
【図３】本発明の一実施形態に係る開閉式屋根が閉鎖されていない状態を模式的に示す（Ａ）は上側から見た平面図であり、（Ｂ）は（Ａ）の３Ｂ−３Ｂ線に沿った垂直断面図である。
【図４】開閉幕から溢れた水の流れを示す図２の要部の部分拡大図である。
【発明を実施するための形態】
【００１５】
本発明の一実施形態の開閉式屋根の屋根構造について、図１〜図４を用いて説明する。鉛直方向をＺ方向とし、Ｚ方向と直交する平面の直交する２方向をＸ方向及びＹ方向とする。また、各図において、断面を示す斜線（ハッチング）は、図が煩雑になるのを避けるため省略して図示している。
【００１６】
＜構造＞
図３に示すように、構造物１０の開閉式屋根１２には、開口部１４が形成されている。この開口部１４のＹ方向の両側部には、Ｘ方向に沿ったレール部２０が、Ｘ方向の端部１６間に掛け渡されるように設けられている。レール部２０間には、Ｙ方向に延在する第一先頭トロリー５０、第二先頭トロリー５２、及び中間トロリー３０がレール部２０に沿って移動可能に設けられている。
【００１７】
第一先頭トロリー５０、第二先頭トロリー５２、及び中間トロリー３０には、開口部１４の端部１６に一端部が取り付けられた開閉幕２４が取り付けられている。また、第一先頭トロリー５０又は第二先頭トロリー５２と中間トロリー３０との間には、Ｙ方向に延在するバリーケーブル２２が設けられている。
【００１８】
駆動ワイヤー２６、２７（図１及び図２を参照）を有する図示されていないトロリー駆動機構によって、第一先頭トロリー５０、第二先頭トロリー５２及び中間トロリー３０がレール部２０に沿って移動することで、開閉幕２４が展開する。そして、第一先頭トロリー５０及び第二先頭トロリー５２に、それぞれ設けられた後述する第一結合部１００と第二結合部（図１及び図２を参照）とが結合することで、開閉幕２４によって開口部１４が閉鎖される。
【００１９】
なお、バリーケーブル２２は、別途設けられた図示されていないバリーケーブル移動機構によって、第一先頭トロリー５０、第二先頭トロリー５２及び中間トロリー３０と同期を取ってＸ方向に沿って移動するように構成されている。
【００２０】
図１及び図２に示すように、図の右側の第一先頭トロリー５０の下部には第一結合部１００が設けられ、図の左側の第二先頭トロリー５２の下部には第二結合部２００が設けられている。
【００２１】
第一先頭トロリー５０に設けられた第一結合部１００は、第一樋部１２０と第一庇部１１０とが設けられている。また、第一樋部１２０は下側樋部１２２と上側樋部１２４とで構成されている。上側樋部１２４は、下側樋部１２２から左側に延出し、下側樋部１２２と一体的に構成されている。この上側樋部１２４の底部１２４Ａは、下側樋部１２２の底部１２２Ａよりも高い位置となっている。
【００２２】
また、第一庇部１１０は、図の左側に延出し下側樋部１２２と上側樋部１２４の右側の一部とを覆うように設けられている。また、第一庇部１１０の先端部には、ゴム製の遮蔽板１３０が設けられている。
【００２３】
なお、第一結合部１００の第一樋部１２０の下側樋部１２２の底部１２２Ａから図の右側に第一取付部１２６が延出し、この第一取付部１２６に開閉幕２４の端部が取り付けられている。また、第一結合部１００の第一樋部１２０の下側樋部１２２の底部１２２Ａの下には、左側に延出する第一連結機構部１５０が設けられている。
【００２４】
左側の第二先頭トロリー５２に設けられた第二結合部２００は、第二樋部２２０と第二庇部２１０とが設けられている。第二庇部２１０は図の右側に延出し第二樋部２２０を覆っている。また、第二庇部２１０の先端部と中央部とには、それぞれゴム製の遮蔽板２３０と遮蔽板２３２とが設けられている。
【００２５】
なお、第二結合部２００の第二樋部２２０の底部２２０Ａから図の左側に第二取付部２２６が延出し、この第二取付部２２６に開閉幕２４の端部が取り付けられている。また、第二結合部２００の第二樋部２２０の底部２２０Ａの下には第二連結機構部２５０が設けられている。
【００２６】
そして、図の右側の第一先頭トロリー５０と図の左側の第二先頭トロリー５２とが、図示されていないトロリー駆動機構によって左右両側から中央側に移動することで開閉幕２４が展開し、図２及び図４に示すように第一結合部１００と第二結合部２００とが結合し、開閉式屋根１２の開口部１４（図３参照）が開閉幕２４で閉鎖される。
【００２７】
［閉鎖状態（結合状態）］
つぎに、開閉式屋根１２の開口部１４が開閉幕２４で閉鎖された閉鎖状態（第一先頭トロリー５０の第一結合部１００と第二先頭トロリー５２の第二結合部２００とが結合した結合状態）について説明する。
【００２８】
図２及び図４に示すように、展開した開閉幕２４で開口部１４が閉鎖された閉鎖状態（第一先頭トロリー５０の第一結合部１００と第二先頭トロリー５２の第二結合部２００とが結合した結合状態）では、左側の第二先頭トロリー５２における第二結合部２００の第二樋部２２０は、右側の第一先頭トロリー５０における第一結合部１００の第一樋部１２０の上側樋部１２４の下側に位置する。
【００２９】
また、閉鎖状態（結合状態）では、左側の第二結合部２００の第二庇部２１０は、右側の第一結合部１００の第一庇部１１０と第一樋部１２０の上側樋部１２４との間に位置し、第二樋部２２０と第一樋部１２０の上側樋部１２４とを覆うように構成されている。なお、第二結合部２００の第二庇部２１０と第一結合部１００の第一庇部１１０との間を流入口１７５とする。
【００３０】
右側の第一結合部１００の第一庇部１１０に設けられた遮蔽板１３０の先端部１３０Ａは、左側の第二結合部２００の第二庇部２１０の上面２１０Ａに接触又は近接するように構成されている。また、左側の第二結合部２００の第二庇部２１０に設けられた遮蔽板２３０、２３２は、先端部１３０Ａ、１３２Ａが右側の第一結合部１００の第一樋部１２０の上側樋部１２４の側壁１２４Ｂ、１２４Ｃのそれぞれ左側に接触又は近接するように構成されている。
【００３１】
なお、本実施形態では、閉鎖状態では、第一結合部１００の第一連結機構部１５０が、第二結合部２００の第二連結機構部２５０に挿入される構造となっている。そして、第二連結機構部２５０に第一連結機構部１５０が挿入されると、Ｙ方向に移動する図示されていないロックピンが、第一連結機構部１５０及び第二連結機構部２５０に形成された貫通孔１５２と貫通孔２５２とに挿入され、第一連結機構部１５０と第二連結機構部２５０とが連結される機構となっている。
【００３２】
そして、このように、第一連結機構部１５０と第二連結機構部２５０とが連結されることで、第一先頭トロリー５０の第一結合部１００と第二先頭トロリー５２の第二結合部２００とが結合した結合状態が維持される。
【００３３】
図２に示すように、第一先頭トロリー５０の第一結合部１００と第二先頭トロリー５２の第二結合部２００とが結合し、開口部１４が開閉幕２４で閉鎖された閉鎖状態では、バリーケーブル２２は開閉幕２４の上面に接触し、開閉幕２４を下側に押圧した状態となる。これにより、開閉幕２４には張力が加わり、弛みが無い状態が維持される
【００３４】
また、本実施形態の開閉式屋根１２は、Ｙ方向の一方の側部が高く他方の側部が低くなっている（Ｙ方向に傾斜している）。よって、開閉式屋根１２を構成する第一先頭トロリー５０、第二先頭トロリー５２、第一結合部１００、第二結合部２００、中間トロリー３０、バリーケーブル２２、及び開閉幕２４は、Ｙ方向の一方の側部が高く他方の側部が低くなっている（Ｙ方向に傾斜している）。また、開閉式屋根１２のＹ方向の他方側（低い方）の側部には、図示していない排水機構が設けられている。
【００３５】
＜作用及び効果＞
つぎに、本実施形態の作用及び効果について説明する。
【００３６】
図２に示すように、構造物１０の開閉式屋根１２の開口部１４を開閉幕２４で閉鎖すると、開閉幕２４はバリーケーブル２２によって山と谷とが複数形成された状態となる。この閉鎖状態で雨や雪が降ると、開閉式屋根１２の開閉幕２４はバリーケーブル２２によって形成された谷部２８に水Ｗが溜まる。そして、前述したように、開閉式屋根１２は、Ｙ方向に傾斜しているので、溜まった水Ｗは谷部２８をＹ方向に流れ、開閉式屋根１２の他方側の側部に設けられている図示していない排水機構によって排水される。
【００３７】
このように、開閉式屋根１２の開閉幕２４には、バリーケーブル２２によって谷部２８が複数形成されるので、水Ｗの排水性能が向上する。
【００３８】
ここで、図４に示すように、例えば、開閉式屋根１２の排水性能を超えるような大雨が降り、開閉幕２４に溜まる水Ｗの水位が上がると、矢印Ｎ１及び矢印Ｎ２に示すように、水Ｗは第一結合部１００及び第二結合部２００を乗り越える。
【００３９】
しかし、矢印Ｎ３で示すように、第二結合部２００の第二庇部２１０と第一結合部１００の第一庇部１１０との間の流入口１７５から第一結合部１００の第一樋部１２０の下側樋部１２２に水Ｗが流入する。前述したように、開閉式屋根１２は、Ｙ方向に傾斜しているので、水Ｗは下側樋部１２２をＹ方向に流れ、排水機構によって排水される。
【００４０】
なお、流入口１７５には、遮蔽板１３０が設けられているが、ゴム製であるので水Ｗの水圧によって容易に曲がり、矢印Ｎ３で示すように、水Ｗは流入口１７５から下側樋部１２２に流れこむ。
【００４１】
更に、下側樋部１２２の排水性能を超え、下側樋部１２２の水Ｗの水位が上がると、溢れた水Ｗは、矢印Ｎ４に示すように、側壁１２４Ｃを乗り越えて、下側樋部１２２に流入する。そして、水Ｗは上側樋部１２４をＹ方向に流れ、排水機構によって排水される。
【００４２】
なお、下側樋部１２２と上側樋部１２４との間には、遮蔽板２３０が設けられているが、遮蔽板２３０は、ゴム製であると共に、上側樋部１２４の側壁１２４Ｃの左側に設けられている。よって、遮蔽板２３０は、水Ｗの水圧によって上側樋部１２４側に容易に曲がり、矢印Ｎ４で示すように、水Ｗは上側樋部１２４に流れこむ。
【００４３】
更に、上側樋部１２４の排水性能を超え、上側樋部１２４の水Ｗの水位が上がると、溢れた水Ｗは矢印Ｎ５に示すように、上側樋部１２４の側壁１２４Ｂを乗り越えて、第二樋部２２０に流入する。そして、水Ｗは第二樋部２２０をＹ方向に流れ、排水機構によって排水される。
【００４４】
なお、同様に、上側樋部１２４と第二樋部２２０との間には、遮蔽板２３２が設けられているが、遮蔽板２３２は、ゴム製であると共に、上側樋部１２４の側壁１２４Ｂの左側に設けられている。よって、遮蔽板２３２は、水Ｗの水圧によって第二樋部２２０側に容易に曲がり、矢印Ｎ５で示すように、水Ｗは第二樋部２２０に流れこむ。
【００４５】
このように、開閉式屋根１２の開閉幕２４の排水性能を超える大雨が降ったとしても、開閉幕２４に溜まり続けることなく、開閉式屋根１２の開閉幕２４の結合部位（召し合わせ部位）に設けられた第一樋部１２０の下側樋部１２２と上側樋部１２４と第二樋部２２０の三つの樋を流れ排水される。よって、開閉式屋根１２の開閉幕２４の結合部位（召し合わせ部位）からの漏水が防止される。
【００４６】
また、本実施形態では、図４に示すように、開閉式屋根１２の開閉幕２４に溜まった水Ｗは、第一結合部１００と第二結合部２００との結合部位（召し合わせ部位）に流入口１７５から流入するが、まず第一樋部１２０の下側樋部１２２に流入し、その後、下側樋部１２２から上側樋部１２４に流入し、更に、上側樋部１２４から第二樋部２２０に流入する。つまり、水ＷはＸ方向に蛇行しながら流れる。よって、水Ｗの流れの勢いが弱くなり、開閉式屋根１２の結合部位からの漏水が防止される。
【００４７】
＜その他＞
尚、本発明は上記実施形態に限定されない。
【００４８】
例えば、上記実施形態では、第一樋部１２０の下側樋部１２２及び上側樋部１２４と、第二樋部２２０の三つの樋部を有する構造であったが、これに限定されない。四つ以上の樋部を有する構造であってもよいし、二つ又は一つの樋部を有する構造であってもよい。
【００４９】
また、例えば、上記実施形態では、開閉式屋根１２は平面視矩形状であったが、これに限定されない。例えば、平面視で円形状や楕円形状の開閉式屋根であってもよい。
【００５０】
また、例えば、上記実施形態では、開閉式屋根１２は、Ｙ方向の一方の側部が高く他方の側部が低くなっている（Ｙ方向に傾斜している）が、これに限定さない。例えば、Ｙ方向の中央部が上側に突出した山形状や円弧状の開閉式屋根であってもよい。また、半球状や鞍形状（例えば、Ｘ方向は下側凸でＹ方向は上側凸の形状）の開閉式屋根であってもよい。
【００５１】
また、例えば、上記実施形態では、開閉幕２４で開閉式屋根１２の開口部１４を閉鎖したが、これに限定されない。展開して開口部を閉鎖することができる屋根材であればよい。
【００５２】
更に、本発明の要旨を逸脱しない範囲において種々なる態様で実施し得ることは言うまでもない
【符号の説明】
【００５３】
１０      構造物
１２      開閉式屋根
１４      開口部
２４      開閉幕（屋根材の一例）
１００      第一結合部（一方の結合部）
１１０      第一庇部
１２０      第一樋部
１２２      下側樋部
１２４      上側樋部
２００      第二結合部（他方の結合部）
２１０      第二庇部
２２０      第二樋部
【図１】
2016084649.tif 000003
【図２】
2016084649.tif 000004
【図３】
2016084649.tif 000005
【図４】
2016084649.tif 000006